(57)【特許請求の範囲】
【請求項１】
電子機器を動作させる部品を内蔵する背面ケースと、
開閉の状態により弾性変形する開閉弾性部材と、
電子機器を取り付けるための開閉片と、
前記背面ケースとの間で挟み込む接触片とを有し、
前記接触片が前記開閉片の背面ケースと相対する面で固着され、
前記背面ケースは前記開閉片の接触片の先端曲げ部近傍に凹部を有する携行型電子機器。
【請求項２】
前記接触片は先端に先端曲げ部を有する請求項１記載の携行型電子機器。
【発明の詳細な説明】
【０００１】
【発明の属する技術分野】
本発明は歩数計等ような電子機器を、衣服、ベルトやかばん等を取り付けて携行する取り付け部材を有する携行型電子機器に関する。
【０００２】
【従来の技術】
身体に携行する電子機器は衣類やベルトに取り付ける構造を有している。例えば、第３図に示すように背面ケース３０１に開閉片取付軸をガイドする穴が２つ形成されており、開閉片３０２には前記背面ケース３０１の穴に対応する穴が形成されている。また、開閉片３０２の先端部を背面ケース３０１に押しつける力を発生させる為の、両端末に巻き線延長部を有するコイルばね３０３を設けている。
【０００３】
前記背面ケース３０１に形成された穴と開閉片３０２に形成された穴とコイルばね３０３のコイル内径に取付軸３０４を貫通させて、開閉片３０２を背面ケース３０１に対して開閉可能に取り付けている。この時コイルばね３０３の巻き線延長部は背面ケース３０１と開閉片３０２に挟まれコイル全体が弾性変形され、コイル両端の巻き線延長部に反発力を発生させ、開閉片３０２先端部を背面ケース３０１に押しつける力を生じさせている。また、開閉片３０２先端部には断面が三角形の突起３０５を形成し衣類等との滑り止めとしている。
【０００４】
【発明が解決しようとする課題】
開閉片先端の滑り止め突起もプラスチックで形成されているため、表面がなめらかで滑りやすく取付強度が弱く、落下しやすいものであった。前記滑り止め突起をなめらかでなくせば初期的には改善されるが、使用を繰り返すうちに摩耗し効果がなくなってしまう。
【０００５】
また、落下を防止するため取付強度をさらに高めるには、コイルばねのばね定数を高めるように変更することが考えられる。その場合、開閉片先端部と衣類等の滑りは改善されるが、同時に開閉片上端部を押す力が大きくなり、操作性を著しく劣化さてしまう。また、取付強度が強すぎると外部から力が加わった時に衣類などを傷めやすいという課題があった。
【０００６】
【課題を解決するための手段】
上記課題を解決するため本発明は、背面ケースに開閉片と該開閉片の背面ケースに相対する面に先端曲げを施した金属製の接触片を設けた。また、開閉片の背面ケースと相対する面で接触片の先端曲げ部と重なる部分に凹部を設けることにより、接触片が弾性変形し接触力をさらに高める構造としたことを特徴とする。
【０００７】
【発明の実施の形態】
以下、図面に基づき本発明の実施形態を示しながら具体的に説明する。
図１は、本発明を実施した主要部分の側面図であり、図２は上面図である。
背面ケース１０１には開閉片１０６を回転可能に取り付けるために、形成された開閉片取付凸部１０７ａを収納する、突起収納凹部１０２ａを有する突起１０２が２カ所設けている。さらに、開閉弾性部材１１２の取付位置を規制するための位置決め突起Ａ１０３と、非装着時に接触片１１１の先端曲げ部に、不要な力が加わらないようにするため接触片の逃げ溝１０４及びへたり防止突起１０５が形成されている。開閉片１０６には前記突起収納凹部１０２ａと相対する凸部１０７ａを有する突起１０７を２カ所設けている。さらに、背面ケース１０１に相対する面に開閉弾性部材１１２の取付位置を規制するための位置決め突起Ｂ１０８と、接触片１１１の取付位置を規制するための位置決めピン１０９を２カ所以上設けている。位置決めピン１０９は接触片１１１を取付後かしめることにより、固定ピンとしても使用する。また、接触片１１１に過剰な力が加わった時接触片１１１が弾性変形するように、接触片１１１の先端曲げ部と重なる部分に凹部１１０を設けている。開閉弾性部材１１２には取付位置を規制するための位置決め用穴を背面ケース１０１の位置決め突起Ａ１０３と、開閉片１０６の位置決め突起Ｂ１０８に対応するように設けている。開閉片１０６は開閉片に設けられた凸部１０７ａを、背面ケース１０１に設けられた突起収納凹部１０２ａに挿入することにより回動自在に支持される。
【０００８】
Ｕ字形の開閉弾性部材１１２を背面ケース１０１の位置決め突起Ａ１０３と、開閉片１０６の位置決め突起Ｂ１０８と開閉弾性部材１１２の位置決め用穴を係合し、背面ケース１０１と開閉片１０６に挟み込まれるように配置され、開閉片１０６の先端部を背面ケース１０１に押しつける力を発生させている。接触片１１１は先端曲げ部に台形の凹凸形状と曲げを施し、開閉片１０６の背面ケース１０１に相対する面に位置決めピン１０９で案内され熱カシメにより固定されている。
【０００９】
この実施形態では、開閉片１０６上端部を押すと、開閉弾性部材１１２が弾性変形して、開閉片１０６に設けられた凸部１０７ａを回転中心として、開閉片１０６開口部が開く。開口部に衣類やベルトを差し込んで開閉片１０６上部の力を取り除くと、背面ケース１０１と接触片１１１の先端曲げ部で衣類やベルトを挟み込み、身体に取り付けることができる。接触片１１１の先端曲げ部が衣類等と接触しているため、ケースに位置ズレする様な力が加わった場合でも開閉片の凹部１１０により接触片１１１が弾性変形するため、安定した接触力を得ることができ、位置ズレや落下することがなく取り付けられる。
【００１０】
本発明は、上記実施形態に限定されることなく種々の組み合わせが可能である。
例えば、
（１）背面ケースと開閉片の取付を凹凸構造として説明したが、穴と取付軸で固定してもよい。
（２）開閉弾性部材をＵ字形の板ばね以外にも、コイルばねや接触片と一体にしてばねを形成してもよい。
（３）接触片の先端曲げ部は、台形、三角形、波形などの凹凸形状としてもよい。
（４）接触片を開閉片に熱カシメ固定として説明したが、接着剤や両面接着テープなどで固定してもよい。
（５）プラスチックの開閉片と金属の接触片の組み合わせ以外に、金属と金属やプラスチックと耐摩耗性の高いガラス入りプラスチックなどの組み合わせでもよい。
【００１１】
【発明の効果】
以上述べてきたように本発明によれば、開閉片に金属の接触片を設けることにより、使用を繰り返しても開閉片先端の滑り止めの摩耗がなく変わらない取付強度が得られる。また、接触片の先端曲げ部を設けることにより、衣類やベルトに対しての取付応力が増し、衣類やベルトの厚みに影響されずに取り付けられる携行型電子機器を得ることができる。
【００１２】
さらに接触片と開閉片の接触片の先端曲げ部と重なる部分に凹部を設けることにより、衣類やベルトを挟み込んだ時接触片の先端曲げ部が弾性変形し、開閉弾性部材によって発生された接触力に、接触片の先端曲げ部が弾性変形する力が加わるため接触力を更に高めることができる。この時開閉片を開く力は開閉弾性部材の反発力のみが効くので、開閉重さは高くならずケースの着脱は容易になる。また、接触片が弾性変形することにより取付力が安定され、携帯中に発生する位置ズレや落下を防止することが可能な、携行型電子機器を得ることができる。
【図面の簡単な説明】
【図１】本発明の実施形態を示す側面図である。
【図２】本発明の実施形態を示す上面図である。
【図３】背面ケースに開閉片を設けた構造の側面図である。
【符号の説明】
１０１、３０１    背面ケース
１０２    突起収納凹部を有する突起
１０２ａ    突起収納凹部
１０３    位置決め突起Ａ
１０４    逃げ溝
１０５    へたり防止突起
１０６、３０２    開閉片
１０７    取付凸部を有する突起
１０７ａ    取付凸部
１０８    位置決め突起Ｂ
１０９    位置決めピン
１１０    凹部
１１１    接触片
１１２    開閉弾性部材
３０３    コイルばね
３０４    取付軸
３０５    断面が三角形の突起
【図１】
0003773707.tif 000002
【図２】
0003773707.tif 000003
【図３】
0003773707.tif 000004